(57)【要約】      （修正有）【課題】老齢者は勿論のこと、誰でもが難なく使えて歯間の食物滓などを残置したまま確実に除去することが可能となり、しかも安価な上に手軽且つ邪魔にならない携行が可能であり、歯茎に優しい安全なものとした新規な構造の楊枝を提供する。【解決手段】平行な直線縁１２，１２と、それらの両端がわから、頂点を外がわになるようにした双曲線からなる曲線縁１３，１３とを輪郭線としたプラスチック薄片であり、屈曲部１１において、その両側の薄片本体１部分相互を屈曲し、その屈曲部１１が鋭角ではなく、半径１ｍｍ程度の円弧状となるよう屈曲、変形させ、対称線に直交する断面において、その全体輪郭が柿の種型となるようにした上、両直線縁１２，１２を跨いでテープ２を貼着することによって実現される薄片製楊枝である。【選択図】図６
0003138692.tif 000002
【実用新案登録請求の範囲】
【請求項１】
巾２ないし３ｃｍ、長さ６ないし８ｃｍの矩形状のプラスチック製薄片で、長て方向各端縁から１／５ないし１／４ずつの部分を、夫々外側を頂点とする放物線状ないし懸垂曲線状に形成して夫々を曲線縁に、そしてそれら曲線縁間の長て方向両側縁を夫々直線縁とした薄片本体となし、該薄片本体の各曲線縁頂点を通る対称線の両がわを、同対称線を屈曲部中心となるようにして同一がわに屈曲して両直線縁同士を合わせるか、近接した状態にしたまま仮固定状となし、先の対称線に直交する断面において、その屈曲部が鋭角ではなく半径１ｍｍ程度の円弧状で、全体外形が柿の種型となるようにした上、該円弧状とした屈曲部の長て方向両端がわの夫々と、それに連なって曲線縁に至る薄片本体部分とで、薄片本体両端がわに移植ベラ状の作用部を夫々形成してなるものとしたことを特徴とする薄片製楊枝。
【請求項２】
巾２ないし３ｃｍ、長さ６ないし８ｃｍの矩形状のプラスチック製薄片で、長て方向各端縁から１／５ないし１／４ずつの部分を、夫々外側を頂点とする放物線状ないし懸垂曲線状に形成して夫々を曲線縁に、そしてそれら曲線縁間の長て方向両側縁を夫々直線縁とした薄片本体となし、該薄片本体の各曲線縁頂点を通る対称線の両がわを、同対称線を屈曲部中心となるようにして同一がわに屈曲して両直線縁同士を合わせるか、近接した状態にしたまま仮固定状となし、先の対称線に直交する断面において、その屈曲部が鋭角ではなく半径１ｍｍ程度の円弧状で、全体外形が柿の種型となるようにした上、該円弧状とした屈曲部の長て方向両端がわの夫々と、それに連なって曲線縁に至る薄片本体部分とで、薄片本体両端がわに移植ベラ状の作用部を夫々形成し、歯間隙間に適合するよう、何れか選択したがわの作用部の屈曲部円弧状の大きさを可変操作可能にしてなるものとしたことを特徴とする薄片製楊枝。
【請求項３】
巾２ないし３ｃｍ、長さ６ないし８ｃｍの矩形状のプラスチック製薄片で、長て方向各端縁から１／５ないし１／４ずつの部分を、夫々外側を頂点とする放物線状ないし懸垂曲線状に形成して夫々を曲線縁に、そしてそれら曲線縁間の長て方向両側縁を夫々直線縁とした薄片本体となし、該薄片本体の各曲線縁頂点を通る対称線の両がわを、同対称線を屈曲部中心となるようにして同一がわに屈曲して両直線縁同士を合わせるか、近接した状態にしたまま、表面を滑り止め加工の施された接着剤付きテープの当該接着剤面を添設して仮固定状となし、先の対称線に直交する断面において、その屈曲部が鋭角ではなく半径１ｍｍ程度の円弧状で、全体外形が柿の種型となるようにした上、該円弧状とした屈曲部の長て方向両端がわの夫々と、それに連なって曲線縁に至る薄片本体部分とで、薄片本体両端がわに移植ベラ状の作用部を夫々形成してなるものとしたことを特徴とする薄片製楊枝。
【請求項４】
テープは、予め片方の直線縁がわ薄片本体に半分が接着され、残る半分は剥離紙付きのまま、当該直線縁がわから突き出し状に形成してなるようにした、上記請求項３記載の薄片製楊枝。
【請求項５】
仮固定状にする構造が、予め片方の直線縁がわに沿う薄片本体部分にＳ字状切込み、その他それに類する切込み部を形成し、もう一方の直線縁がわに沿う薄片本体部分には、先のもＳ字状切込みに噛み合う形状とした切込み部を形成したものとし、それら両切込み部を掛け合わせて仮固定状となるようにした、上記請求項１ないし４何れか一記載の薄片製楊枝。
【請求項６】
仮固定状にする構造が、予め片方の直線縁がわに沿う薄片本体部分にスナップ凹部を形成し、もう一方の直線縁がわに沿う薄片本体部分にはスナップ凸部を形成したものとなし、それらスナップ凹部、同凸部を嵌め合わせて仮固定状となるようにした、上記請求項１ないし４何れか一記載の薄片製楊枝。
【考案の詳細な説明】
【技術分野】
【０００１】
この考案は、楊枝に関するものであり、特に、プラスチック薄片製の楊枝にそのもの、およびそれに関連する分野は勿論のこと、薄片製楊枝の製造や輸送、保管に必要となる設備、器具類を提供、販売する分野から、それら資材や機械装置、部品類に必要となる素材、例えば、木材、石材、各種繊維類、プラスチック、セラミックス、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野から、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                  
【背景技術】
【０００２】
（着目点）
日本人には、どのくらい歯の悪い人が居るかという統計がある。それによると、３０歳代、４０歳代では２ないし３本の喪失で済んでいるものの、５０歳代以降になるとそれが５本以上と、加齢と共に多くなる現況にあり、その原因は、歯以外の身体部位の疾患などと違い、普通の人の場合、痛みを感じたり、日常の食生活に支障を来さない限り、進んで歯科医院に行こうとしないことから治療が手遅れになったり、朝晩の歯磨き（ブラッシング）をしておれば虫歯にならないものと信じ込んでいて、ブラッシングだけでは取れない歯と歯との隙間に生じる疾患「隣接面ウ蝕」が知らぬ間に進行し、虫歯や歯周病に罹病してしまっているなどといった早期治療に対する認識欠如の外、豊富な食物が何時でも接種可能な時代になって久しく、特に幼児を含めた若年層では一日中ダラダラと菓子の類を食べて「砂糖公害」の犠牲者になっており、大人にあっては口腔への無関心、不注意があり、今後、後続の若年層の高齢化が進んでいくと益々その傾向は強まっていくものと考えられ、これら高齢者の多くが歯を失ってしまう現象が、口腔衛生を等閑にした食生活と生活習慣とに係わってもたらされている事実に相違はないことから、特に食生活と生活習慣とに係わる普段の生活における口腔衛生への自覚、その一つが、食事中に挟まった歯間の食べ滓だけでも、それが何時、何処であっても手軽に且つ確実に実施することができるようにするだけでも、それら弊害を取り除くことが可能になる筈である。
【０００３】
しかしながら、現在、それらの場面で用意されているか、用意することができるようになるものといえば、木製で先を鋭く尖らした直径２．１mｍ、長さ６０ｍｍの、最も一般的な所謂爪楊枝か、素材をプラスチックやカゼインに変えただけの同種のもの、あるいは適宜長さのプラスチック製スティックの先端に真っ直ぐか直角に歯間用ブラシを取り付けた歯間ブラシなどが存在し続けているものの、それらを携行して常に口腔衛生に気配りをしている人は極めて少なく、精々が食堂などに用意されたそれら器具に頼って歯の間に挟まった食物滓を取り除くようにしているぐらいのものであり、手軽に持ち運べない不都合だけではなく、それら周知される爪楊枝の類いでは、歯間に挟まった異物をきれいに取り除く上で、必ずしも十分な機能を果たすものとなっていなかったりして、期待するような口腔衛生上の活用には今少し物足らない存在であったと言える。
【０００４】
（従来の技術）
そのような状況に対処し、これまでに提案されている新しい構造からなるものといえば、例えば登録実用新案第３０９９９４５号公報記載の「板楊枝」考案や、同じく登録実用新案第３１０９３４０号公報記載の「全体が湾曲した薄い板状爪楊枝」考案、実開平１−１５９８３４号公報記載の「歯の隙間粕取り用楊枝」考案、あるいは特開２００５−１６８５８０号公報に開示された「楊枝および楊枝セット」発明などが散見されるが、上記「板楊枝」考案や「全体が湾曲した薄い板状爪楊枝」考案のように、単に薄板状にしただけのものでは、歯間に通し易く、また携行にも都合良くはなるものの、歯の間に確りと挟まってしまった滓などを取り除く面では、かえって従来周知の尖った丸棒状の所謂爪楊枝の方に歩があるぐらいのものでしかない。
【０００５】
それに対し、後掲した「歯の隙間粕取り用楊枝」考案の類いでは、上記従来技術と違い、一見すると夫々の各部の構成が歯間の食べ物滓除去に役立ちそうではあるものの、先ず何よりも複雑過ぎて製造が容易でない上に、各部が邪魔になって携行に不便を来すことが大いに懸念されるばかりか、使用に際して各部が鋭角に形成されており、使用者に依っては歯茎の歯肉や歯周ポケット付近までを痛めてしまうことが予想され、この傾向は、最後に取り上げた「楊枝および楊枝セット」発明などにも通じることであり、同公報各図、特に図３（ｂ）や図４（ｂ）ないし（ｄ）に明確にその発明の技術的思想として開示しているように、先端を鋭く尖らせ、平板を屈曲して谷状としたときの谷部の角度も鋭角にし、極端に狭められてしまう構造としたものでは、確かに携行上の点では一考に値するとしても、イザそれを周知の爪楊枝代わりに使うとなると、仮令同公報図５の実施例のように先端がわ両縁を湾曲させるよう配慮したとしても、直線的なその他の事例と何ら変わらず、先端および谷の形状は、共に鋭角であって上記考案と同じように歯茎の歯肉や歯周ポケット付近を痛めるという弊害は払拭されず、尚且つ、歯間に入り込み易くしてある分だけ滓を残置して除去するという機能には支障を来し、結局従前の所謂爪楊枝と同じように、実用上では食べ残し滓などを歯の奥に只押し出すようにした機能しか期待できないものに過ぎないという他はない。                                                                
【特許文献１】（１）登録実用新案第３０９９９４５号公報    （２）登録実用新案第３１０９３４０号公報    （３）実開平１−１５９８３４号公報    （４）特開２００５−１６８５８０号公報
【考案の開示】
【考案が解決しようとする課題】
【０００６】
（問題意識）
上述したとおり、従前までに提案のあるこの種楊枝には、携行上に配慮したものとすれば歯間に挟まった食物滓などの残置、除去の点でそれ程の機能を果たし得ないか、それが極端に犠牲になってしまうという裏腹な提案のものとなってしまっており、それらに配慮したつもりのものでも、必ずしも期待する程の機能を果たさないものに止まらざるを得なかったり、極めて構造が複雑になって取り扱いが難しく、製造コスト上では目に見えて不利になってしまう外、その構造のために逆に携行上に支障を来たし兼ねないものばかりで、構造、機能の両面からして普及には覚束ないという実情にあり、特に加齢するに従って歯茎の歯肉が縮小していって歯間の隙間が大きくなり、食事の度毎に食べ物の滓が頻繁に詰まってしまい、その都度、歯間の掃除に時間を費やさなくてはならず、その割には思うようにそれら滓を楊枝に残置して除去できずに歯痒さを覚えてしまったり、それが仲間と一緒のときなどには、結局中途半端のままで済まさざるを得なくなってしまうという事態に陥る年齢層の人は一方ならず、今後、そうした年齢層は益々増加の一途を辿ると予想される時代背景に鑑み、そのような状況が日常的に続けば間違いなく口腔衛生上に極めて悪い生活習慣になってしまい、最終的に虫歯や歯周病に罹病して本人の健康にまで影響することが懸念され、しかも、それだけに止まらず、辺りには口臭の面で迷惑を掛けてしまうことにもなるという状況をも勘案すれば、歯間に挟まる食物滓などを取り除く上で、構造、機能上は勿論のこと、経済的負担の掛からない安価なものであって携行上にも支障を来すことのないようにした実用価値のある楊枝として、是非ともその実現化が待望視されているものと考える。
【０００７】
（考案の目的）
そこで、この考案では、上記問題意識に立脚し、特別難しい取り扱いをしなくとも、老齢者は勿論のこと、誰でもが難なく使えて歯間の食物滓などを残置したまま確実に除去することが可能となり、しかも安価な上に手軽且つ邪魔にならない携行が可能であり、歯茎に優しい安全なものとしてなるこれまでに無い構造の楊枝の開発はできないものかとの判断から、逸速くその開発、研究に着手し、長期に渡る試行錯誤と幾多の試作、実験とを繰り返してきた結果、今回、遂に新規な構造の薄片製楊枝を実現化することに成功したものであり、以下では、図面に示すこの考案を代表する実施例と共に、その構成を詳述することとする。                                                                                                
【課題を解決するための手段】
【０００８】
（考案の構成）
図面に示すこの考案を代表する実施例からも明確に理解されるように、この考案の薄片製楊枝は、基本的に次のような構成から成り立っている。
即ち、巾２ないし３ｃｍ、長さ６ないし８ｃｍの矩形状のプラスチック製薄片で、長て方向各端縁から１／５ないし１／４ずつの部分を、夫々外側を頂点とする放物線状ないし懸垂曲線状に形成して夫々を曲線縁に、そしてそれら曲線縁間の長て方向両側縁を夫々直線縁とした薄片本体となし、該薄片本体の各曲線縁頂点を通る対称線の両がわを、同対称線を屈曲部中心となるようにして同一がわに屈曲して両直線縁同士を合わせるか、近接した状態にしたまま仮固定状となし、先の対称線に直交する断面において、その屈曲部が鋭角ではなく半径１ｍｍ程度の円弧状で、全体外形が柿の種型となるようにした上、該円弧状とした屈曲部の長て方向両端がわの夫々と、それに連なって曲線縁に至る薄片本体部分とで、薄片本体両端がわに移植ベラ状の作用部を夫々形成してなるものとした構成を要旨とする薄片製楊枝である。
【０００９】
これを、その表現を変えて示すと、巾２ないし３ｃｍ、長さ６ないし８ｃｍの矩形状のプラスチック製薄片で、長て方向各端縁から１／５ないし１／４ずつの部分を、夫々外側を頂点とする放物線状ないし懸垂曲線状に形成して夫々を曲線縁に、そしてそれら曲線縁間の長て方向両側縁を夫々直線縁とした薄片本体となし、該薄片本体の各曲線縁頂点を通る対称線の両がわを、同対称線を屈曲部中心となるようにして同一がわに屈曲して両直線縁同士を合わせるか、近接した状態にしたまま仮固定状となし、先の対称線に直交する断面において、その屈曲部が鋭角ではなく半径１ｍｍ程度の円弧状で、全体外形が柿の種型となるようにした上、該円弧状とした屈曲部の長て方向両端がわの夫々と、それに連なって曲線縁に至る薄片本体部分とで、薄片本体両端がわに移植ベラ状の作用部を夫々形成し、歯間隙間に適合するよう、何れか選択したがわの作用部の屈曲部円弧状の大きさを可変操作可能にしてなるものとした薄片製楊枝とすることができる。
【００１０】
これら基本的な構成からなる薄片製楊枝をより具体的に示すと、巾２ないし３ｃｍ、長さ６ないし８ｃｍの矩形状のプラスチック製薄片で、長て方向各端縁から１／５ないし１／４ずつの部分を、夫々外側を頂点とする放物線状ないし懸垂曲線状に形成して夫々を曲線縁に、そしてそれら曲線縁間の長て方向両側縁を夫々直線縁とした薄片本体となし、該薄片本体の各曲線縁頂点を通る対称線の両がわを、同対称線を屈曲部中心となるようにして同一がわに屈曲して両直線縁同士を合わせるか、近接した状態にしたまま、表面を滑り止め加工の施された接着剤付きテープの当該接着剤面を添設して仮固定状となし、先の対称線に直交する断面において、その屈曲部が鋭角ではなく半径１ｍｍ程度の円弧状で、全体外形が柿の種型となるようにした上、該円弧状とした屈曲部の長て方向両端がわの夫々と、それに連なって曲線縁に至る薄片本体部分とで、薄片本体両端がわに移植ベラ状の作用部を夫々形成してなるものとした薄片製楊枝となる。                                                                                        
【考案の効果】
【００１１】
以上のとおりの構成からなるこの考案の薄片製楊枝によれば、先ず何よりも構造が簡潔なものとして実用化することができる上に、それを必要とする者誰でもが特別な知識や訓練無しで簡単に、しかも安全なものとして使いこなすことを可能にしており、その結果として、従前までのものでは楊枝として望ましい機能が殆ど望めないか、あるいは、期待どおりの機能を引き出すためには使い方を習熟しなければならないといった問題があったり、使い方には特に問題は無く、しかも携行にも都合が良い上に歯間にも入り易いものとなっていながら、肝心の歯間に挟まった食物滓などは、そのものに取り込んで残置したまま取り出すことができず、単に奥に押し出す作用しか期待できなかったり、簡単に使えるだけに安易に使ってしまうと、その形状、構造から歯茎の歯肉自体や歯周ポケット辺りに傷を付け、歯間の掃除の所為で逆にその傷が原因で雑菌に因る炎症を起こしてしまうなどといった従前のもののような弊害は一切無くし、使用者が挟み持った指の加減一つで本願発明の薄片本体作用部の円弧状とした部分の大きさを歯間隙間に合うよう自在に操作できる上、作用部が尖ることもなく恰も移植ベラをそのまま小さくしたような形状を維持して歯間に挿入でき、その移植ベラ状とした形状の上に歯間に挟まった食物滓などがうまく掬い取られて残置状態とされ、その状態のままで同じ箇所を何度か角度を変えるかして出し入れ操作したとしても、その都度、残っていた滓は、先に残置していた滓を薄片本体屈曲部の当該作用部と反対側に押し込めながら掬い取ることができるものとなり、その間の歯間への出し入れ操作に依っても歯茎辺りの歯肉に何らの刺激や傷も付けることなく安全な使用が保証されるものとなることから、極めて歯間の食物滓除去効果に秀れ、頗る安全で安価な楊枝を実現できるという大きな特徴を有している。
【００１２】
特に、薄片本体の各曲線縁頂点を通る対称線の両側を、同対称線を屈曲部中心となるようにして同一がわに屈曲して両直線縁同士を合わせるか、近接した状態にしたまま仮固定状にする構造が、接着剤付きのテープによって実現されるようにしたものでは、対称線に直交する断面で全体外形が柿の種型とした形状が、外力を加えない状態においては、屈曲した状態の薄片本体全長に亘って略同形状の柿の種型に維持された上、掴んだ指を加減して一方のがわの作用部における半径１ｍｍ程度の形状から上に次第に広がる円弧状の屈曲部の広がり大きさを変化させたとしても、使っていないがわの作用部の開放状態を極端に開かせてしまい、使っている操作部の歯間隙間への出し入れ操作において、掴んだ状態の手のひらに接触気味としてしまい、違和感を覚えたり、操作の邪魔になるといったような状態を惹起してしまう事態を確実に回避できるという実用的な効果が得られることになる。
【００１３】
また、このテープに替え、仮固定手段として各直線縁の中央、または均衡した数カ所に、互いに噛み合い可能であって簡単に係合、離脱操作ができる形状の切込み部を形成したものとし、携行に都合の良いように専用のケースに複数個重なり状に収めたものとしておき、必要なときにその中から一枚を取り出して屈曲部の両がわ薄片本体部分を同じがわに屈曲して各直線縁同士を合わせるか近接した状態で、当該切込み部を交差状にして噛み合せ操作することにより、両直線縁同士は簡単に仮固定状にすることができ、そのまま親指と人差し指または中指とで軽く挟んで楊枝として使うようにするか、あるいは当該専用ケースの中に付属品として同包するようにしておいたそれ用のテープがあるものでは、先に切込み部同士またはスナップ凹、凸部などの操作で仮着状にしたまま、更に当該テープを使ってその仮着状となっている両直線縁に覆い被せてしまい、同所における当該仮固定構造が、直線縁全長あるいはその大部分に亘って安定するようにし、上記した作用効果が確実に期待できるようにしたものとなり、その際には、単独にテープだけで両直線縁を仮固定状とする場合に比較し、切込み部相互を噛み合わせるなど仮着状にしておいて実施するようにした方が操作性は格段に円滑なものとなり、したがってテープも姿勢良く、見た目で美しく見えるような取り付けが可能となり、人前で使うとき、それが特に女性のときなどには、見栄え良く使い易くなるという効果が得られるものとなる
【００１４】
更にまた、テープが、その表面がわに滑り止め加工の施されているものでは、指で挟んだ状態が安定したものとなることから、歯間に挿入する際は勿論のこと、歯の表面または歯茎部分を隈無く擦って歯垢や歯石などを除去しようとするときに、この考案の楊枝の姿勢を、使う人の願った方向に確実に維持することができるものとし、無用な箇所、特に歯肉や唇の内側などといった箇所に触れさせて強い刺激を与えたり、従前のものと違って鋭角状の部分は無くしてあるとしても、力の入れ加減に依っては口腔内の皮膚は柔らかいだけに、それらに傷を付けてしまうといった不測の事態をも確実に回避できるという実用的な効果を期待することができる。
【００１５】
加えて、この仮固定手段は、先の切込み部の外、スナップ凹部、同凸部に依るものとすることもでき、これらに依るものとしたときには、この薄片本体を所定の形に裁断加工する際に極めて簡単に凹凸加工することができ、あるいは裁断加工する前の薄い板体を射出成形製造する段階において、切り抜き箇所に応じて決まる位置に予め凹凸成形加工をしたものとすることもでき、しかも、仮固定操作は、切込み部に依るものよりも更に簡単な凹部、凸部の嵌合、押圧操作で実施することができるという利点があり、より一層便利なものとすることができ、普及が大いに期待できるという特徴を有するものとすることができる。                                                                                        
【考案を実施するための最良の形態】
【００１６】
上記したとおりの構成からなるこの考案の実施に際し、その最良もしくは望ましい形態について説明を加えることにする。
この考案の薄片本体は、塑性変形可能で適度な弾力性を有するプラスチック素材、例えばフェノール樹脂，メラミン樹脂，エポキシ樹脂，ユリア樹脂などといった熱硬化性樹脂や、塩化ビニル樹脂，ポリエチレン，ポリプロピレンなどといった熱可塑性樹脂、好ましくは比較的安価で広い用途のある汎用プラスチック、例えばポリエチレン，ポリ塩化ビニル，ポリプロピレン，ポリスチレンの４種の中の何れかによるものなど、特にその種類は問わず、しかも、透明素材の外、不透明で単色か、好みの適宜複数の色を組み合わせたものとしても差し支えはなく、その厚さは、屈曲、変形させたときの形、即ち対称線に直交する断面の外形が柿の種型としたその形が保持できると共に、その形として楊枝の機能を果たし得るだけの強度を保証するものでなければならない。
【００１７】
そして、この薄片本体の全体形状は、巾２ないし３ｃｍ、長さ６ないし８ｃｍの矩形状のプラスチック製薄片から、その長て方向各端縁から１／５ないし１／４ずつの範囲部分を、夫々外側を頂点とする放物線状ないし懸垂曲線状に形成して夫々を両側に対称に配された曲線縁を有するものとし、そしてそれら対称の曲線縁間に残される長て方向両側縁はそのまま直線状とした夫々直線縁としてなるものとしなければならず、それら対称形となる曲線縁の放物線ないし懸垂曲線の頂点間を結ぶ対称線（この線の両側に夫々対称となる曲線が存することとなるその基準線をいい、夫々の頂点を通る。）を仮想線とし、当該薄片本体は、この対称線の両がわ、即ち巾方向に二分された薄片本体部分となる。
【００１８】
当該対称線は、予め薄片本体にプリント表示などに依って明らかにしたものとしても良いが、その表示を俟つまでもなく、この薄片本体の各直線縁を合わせるように屈曲状にして指で挟みつけ、塑性変形させることによって自然に決定されるものであり、使用者に任せたものとするか、あるいは薄片本体切り抜き段階か、切り抜き加工を終えてから機械的に予めくの字状に塑性変形しておいたものとしても差し支えなく、したがって、薄片本体は、所定輪郭のものに切り抜き、裁断されたものを、対称線を表示または非表示の平坦なもの（平たいもの）とし、使用段階で使用者の手に委ねて所定の如くに屈曲変形、仮固定状にするか、予め全てをくの字状に塑性変形させ、使用者が使用段階に屈曲変形し易くなるよう配慮したものとしておいても差し支えはないが、このくの字状の塑性変形させる段階に屈曲部はあくまで屈曲変形、即ち変形させる部分が小さな丸みを持たせられた屈曲（成型手段は特に問わない。）でなければならず、したがって、折れ線のような外観となって内側が鋭角になる折曲構造に依るものとしてはならない。
【００１９】
また、この薄片本体は、所定輪郭のものに切り抜き、裁断された後、仮固定構造とする、例えばＳ字状またはそれに類する形状に切込んだ切込み部相互も形成するようにしなければならず、その仮固定構造が、スナップ凹部と同凸部とに依るものとするのであれば、これに採用する薄板を成型する段階の射出成型段階に、所定位置に予め凹部、凸部が一体成型されたものとするか、あるいは、平坦な薄板か所定形状の薄片本体西手からの何れかの段階に凹部、凸部をプレス成型するようにする。
【００２０】
一方、テープは、これ用に専用のものとして形成するまでもなく、これまでに汎用されてきている、片面に接着剤層の形成された所謂セロハンテープのようなテープであれば特にその種類は問わず、先の薄片本体の直線縁の長さ以下であって、当該薄片本体巾方向の１／２よりもやや小さい巾寸法とした所定サイズのものであれば差し支えはなく、望ましくは、表面がわにシボ加工や通気孔のような小孔の多数穿孔されたもの、あるいは表面に摩擦力を期待できる塗料を付着させたものなどとする外、テープ本体を布状のもので構成し、その織り目で滑り止め機能が期待できるようにしたものとしてもよく、それほど長い時間に亘っての耐久性を必要とせず、また使い勝手の上からもなるべく薄手のものとするのが望ましく、しかも口の中に入れても害のないものとしてテープ本体から使用接着剤、塗料などに至まで十分吟味したものとしなければならないことは言うまでもないことである。
【００２１】
こうして、テープの貼着に依るか、切込み部またはスナップ凹部と同凸部の係合、あるいは双方に依る仮固定手段によって仮固定され、対称線に直交する断面において、その屈曲部が、従前までのもののように折曲してその内がわを鋭角にしてしまうのではなく、半径１ｍｍ程度の円弧状であって、全体輪郭が柿の種型となるようにしたこの考案の薄片製楊枝は、当該円弧状とした屈曲部の長て方向両端がわと、それに連なって曲線縁に至る薄片本体部分とで、薄片本体両端がわに移植ベラ状の作用部を形成し、それらの中のどちらか一方の作用部を歯間に差し込んで静かに動かすか、歯茎辺りや歯の表面を擦るようにして押し当てることに依って、当該移植ベラ状の作用部の上に食物滓などや歯垢、歯石が残置状に確実に取り込まれ、徒に口の中に散逸してしまうことを防止できることになり、その繰り返し操作を続けている中に、それまで使用してきた作用部が変形、破損したときには、反対側のもう一方の作用部を使い、引き続き歯の掃除を続行でき、仮に最初に使い始めた作用部がわだけでその時の用が果たせた場合には、この他方の未使用となっている作用部がわは次回の時のために使うよう適宜保管、携行するようにするのが望ましい。
【００２２】
このように形成されるこの考案の薄片製楊枝は、携行に際しては、販売のために用意したパッケージからその都度必要枚数分ずつ何か（例えば財布や手帳など）に挟み込んで持ち運ぶか、あるいはその販売のためのケース自体が、例えば、前掲の従来の技術の項に取り上げた特開２００５−１６８５８０号公報掲載のもののように、この考案専用に携行用のプラスチックケースで、引き出し式構造や上蓋片開き構造、重箱蓋様取り外し構造、側板開閉構造、その他公知の爪楊枝携帯箱などのように形成しておいて一枚ずつ取り出せるようし、同包してあるテープがあればそれに依り、テープのないタイプで、切込み、スナップ凹、凸部その他仮固定手段しか形成されていなものであれば、それらの何れかの係合に依り、何れも直線縁同士を隣接状にして断面輪郭で柿の種状とするこの考案の薄片製楊枝にして使用できるよう配慮したものとすることができ、また、それらケースには、取り出し用開閉に支障のない箇所にカガミシールが仕込まれ、薄片製楊枝使用のときの便に供するようなものとしてもよく、あるいは、バンドエード（商品名）のように一枚ずつ紙袋に収めて切り離し可能に複数個繋げたものにしておき、蛇腹状に必要枚数折り畳んだ状態でそのまま持ち運ぶようにするなど、公知の各種携行手段を取り入れることが勿論可能である。
以下では、上記までの構造が明確に把握できるよう、図面に示すこの考案を代表する薄片製楊枝の幾つかの例を詳述していくこととする                                                                                          
【実施例１】
【００２３】
図１の全体斜視図、図２の薄片本体１の平面図、図３の予め屈曲変形した薄片本体１の斜視図、図４の一方の移植ベラ状の作用部１４がわだけを拡大して示す要部斜視図、図５のどちらかの作用部１４とテープ２との間辺りで、対称線１１に直交する断面における縦断面図には、両直線縁１２，１２を合わせるように、屈曲部（対称線１１を中心として湾曲する所定範囲部分であり、便宜上同一符号に依るものとしてある。）において、その両側の薄片本体１部分相互を屈曲した上、両直線縁１２，１２を跨いでテープ２を接着してなる、この考案の最も代表的な事例からなる薄片製楊枝の実施例を示してある。
【００２４】
図からも明確に把握されるとおり、３ｃｍの間隔を置いて平行する直線縁１２，１２と、それらの両端がわから、頂点を外がわになるようにした双曲線からなる曲線縁１３，１３とを輪郭線としたプラスチック薄片であり、屈曲部１１において、その両側の薄片本体１部分相互を屈曲し、その屈曲部１１が、図に示すように鋭角ではなく、半径１ｍｍ程度の円弧状となるよう屈曲、変形させ、対称線に直交する断面において、その全体輪郭が、図５のとおり、柿の種型となるようにした上、両直線縁１２，１２を跨いでテープ２を貼着することにより、図１に示すとおりのこの考案における薄片製楊枝を実現する。
【００２５】
したがって、この考案の薄片製楊枝は、屈曲部が潰れてしまって鋭角状に折曲されてしまわず、最後まで対称線に直交する断面において、その輪郭が柿の種型、特に屈曲部辺りに小円形部を維持したままの使用できるようにしなければならないことから、予め最終形状のものに形成しおき、その価値が保持できるようなやや頑丈なケースに収めて提供してもいいが、単価的な問題と、何よりも嵩張ってしまう不都合を回避するためにも、使用段階前までは、図２にあるような平たいままとして適宜枚数毎にケースに収めたものとするか、もしくは図３のように屈曲癖を付けただけのくの字状のものに予め形成した上で、それをやや開き気味の平坦化したものとして適宜枚数毎にケースに収め、提供するようにすべきであり、歯の掃除を必要とする段階に初めて、当該円弧状とした屈曲部の長て方向両端がわの夫々と、それに連なって曲線縁に至る薄片本体部分とで薄片本体両端がわに形成される移植ベラ状の作用部が正しく使えるようにしたものとすべきである。                                                                  
【実施例２】
【００２６】
次に取り上げる実施例は、図６ないし図８にその平面図を示してあるように、仮固定手段の幾つかの事例に係わるものであり、先ず、図６に示す事例は、片面に接着剤層の予め形成されたテープ２を、図のように直線縁１２よりもやや小さい長さに裁断、形成したものとし、その巾の半分を、予め対称線（屈曲部となる部分）１１の両がわに振り分けられる薄片本体１部分の何れか一方（図では上方がわ）の外がわ（図では薄片本体１部分の裏がわで破線表示。）に、その接着剤層（図示せず）を貼着してしまったものとし、同所の直線縁１２から食み出すテープ２の接着剤層には、テープ２巾の半分とした剥離紙２′を仮着したものとした事例であり、この事例は、前記実施例１の図２に相当する事例となるものだが、図３に示した事例の如く、予め屈曲癖を付けたくの字状のものにも同様に採用可能であることはいうまでもなく、以下の各図に示す事例においても同様である。                                
【実施例３】
【００２７】
図７の平面図に示す事例は、同図からも明確に看取できるように、各直線縁１２，１２の中央部分から夫々対称線１１方向に向けて３ｍｍ程の範囲に収まる概略Ｓ字状、反転Ｓ字状となる切込み部３，３′を設けた事例であり、使用に際して、対称線に直交する断面において、その全体輪郭が、図５のとおり、柿の種型となるように操作する段階に、それら切込み部３，３′を噛み合わせ状にして仮固定し、図１（テープ２のない場合も含まれている。）に示すようなこの考案の薄片製楊枝とするものである。
【００２８】
なお、この実施例における切込み部３，３′は、各直線縁１２，１２に夫々１カ所ずつしか形成していないが、各直線縁１２，１２で夫々対応する箇所となる複数箇所に、同じように切込み部３，３′を設けるようにし、断面輪郭柿の種型の形状が、テープ使用のときのように直線縁１２全長に亘ってできるだけ保持されるようにしたものとしても良いのは勿論のこと、切込み部３，３′の切り込み形状も、この実施例に取り上げた概略Ｓ字状、反転Ｓ字状の組合せからなるものに限定されてしまう訳ではなく、噛み合わせで係合状態が実現されるようなものであれば、特にその切り込み形状が限定されてしまうものではなく、適宜形状の切込み部３，３′として差し支えはない。                                                                  
【実施例４】
【００２９】
最後の図８に取り上げるこの考案の薄片製楊枝は、仮固定構造を、従来から知られるスナップボタン式のもので、図に示すとおり、各直線縁１２，１２で夫々対応する箇所となる３箇所に、一方は凹部で、他方がそれよりもやや小さい径の凸部としたスナップ凹部４、同凸部４′とし、使用に際して、前記までの各実施例と同じく、対称線に直交する断面において、その全体輪郭が、図５のとおり、柿の種型となるように操作する段階に、それらスナップ凹部４、同凸部４′を合わせて嵌合状に仮固定して図１（テープ２のない場合も含まれている。）に示すようなこの考案の薄片製楊枝とするものである。
【００３０】
スナップ凹部４、同凸部４′について、プラスチック薄板を形成する射出成型段階に同時に形成してしまうようにする外、薄板から所定の薄片本体を切り抜く段階と同時、またはその工程の後の適当な段階にプレス成形加工するようにしたものでもよく、あるいは一方のスナップ凹部４は刳り貫き孔としてしまい、スナップ同凸部４′だけをプレス成形加工したものとするなど、その成型手段は特に特定されるものでないことは言うまでもな                                                                
【００３１】
（実施例の作用効果）
以上のとおりの構成からなるこの考案の薄片製楊枝は、図９の使用状態を説明する斜視図に概略表示するように、図２のように平らな薄片本体１のままか、あるいは図３のもののようにくの字状に屈曲癖が施されている状態のものを取り出し、使用に際して初めて、対称線に直交する断面において、その全体輪郭が、図５のとおり、柿の種型となるように操作する段階に、テープ２を使うか、切込み部３，３′またはスナップ凹部４、同凸部４′を使って仮固定状とし、図１の斜視図および同図４の要部拡大斜視図のように、両端が移植ベラを極々小さくしたような形状の作用部１４、１４を実現し、掴んだ指の力加減でその形を最適なものに調整しながら歯間の隙間に差し込むようにして、その作用部１４の小円状に保持した屈曲部１１に食物滓など歯に挟まったものを残置させるようにしたり、当該作用部１４の曲線縁１３適所を歯茎辺りや歯の表面に擦り付けるように繰り返し操作して歯垢や歯石を除去して同じく作用部１４の小円状に保持した屈曲部１１内に取り込むようにするかすることができ、従前までのものでは到底期待できなかった衛生的で確実且つ安全な歯の掃除が可能となるようにしている。
【００３２】
（結  び）
叙述の如く、この考案の薄片製楊枝は、その新規な構成によって所期の目的を遍く達成可能とするものであり、しかも老若男女誰であっても簡単且つ確実な歯の掃除に使うことができ、従前からのこの種楊枝に比較して安価なものとして提供できて経費負担を大巾に軽減して口腔衛生に寄与できるものとなることから、特に社会の高齢化に伴ってその必要性を増すことが想定されており、それに伴って歯の治療費も、他の疾患と同じように増えて個人は固よりのこと、国家的な負担にも繋がってしまう事態を避けるためにも、普段の些細な心掛けで対処可能になることに繋がり、各方面からも高く評価され、広範に渡って利用、普及していくものになると予想される。                                                                  
【図面の簡単な説明】
【００３３】
図面は、この考案の薄片製楊枝の技術的思想を具現化した代表的な幾つかの実施例を示すものである。
【図１】この考案の薄片製楊枝の全体を示す斜視図である。
【図２】同薄片本体１の平面図である。
【図３】同薄片本体１の一態様を示す斜視図である。
【図４】この考案の薄片製楊枝作用部１４付近を示す要部拡大斜視図である。
【図５】同対称線に直交する断面図である。
【図６】同薄片本体１の他の実施例を示す平面図である。
【図７】同薄片本体１の更に他の実施例を示す平面図である。
【図８】同薄片本体１の更に他の実施例を示す平面図である。
【図９】この考案の薄片製楊枝の使用状態を示す斜視図である。
【符号の説明】
【００３４】
１      薄片本体
１１    同  対称線（屈曲部）
１２    同  直線縁
１３    同  曲線縁
１４    同  作用部
２      テープ
２′    同  剥離紙
３，３′  切込み部
３１    同  上顎基礎床
３２    同  咬合堤（咬合堤材）
４      スナップ凹部
４′    スナップ凸部                                                                                          
【図１】
0003138692.tif 000003
【図２】
0003138692.tif 000004
【図３】
0003138692.tif 000005
【図４】
0003138692.tif 000006
【図５】
0003138692.tif 000007
【図６】
0003138692.tif 000008
【図７】
0003138692.tif 000009
【図８】
0003138692.tif 000010
【図９】
0003138692.tif 000011